(57)【要約】【課題】簡単に持ち運べる大きさであり、しかも長期間に亘って持っていても単調になることがないイラスト表示物品を提供する。【解決手段】透明あるいは半透明のプラスチックプレート１４に、人物、動物などの画像１６データを原図として切削加工機械を用いて彫刻することにより得られるイラスト１６を表示してなるイラスト表示板１２と、イラスト表示板１２とほぼ同じ大きさで着色されたカラー板１８と、イラスト表示板１２とカラー板１８とを重ねた状態で吊るす提げ紐２０とを備えた。【選択図】図１
0003151635.tif 000002
【実用新案登録請求の範囲】
【請求項１】
透明あるいは半透明のプラスチックプレートに、人物、動物などの画像データを原図として切削加工機械を用いて彫刻してなるイラスト表示板と、
前記イラスト表示板とほぼ同じ大きさで着色されたカラー板と、
前記イラスト表示板と前記カラー板とを重ねた状態で吊るす提げ紐とを備えたことを特徴とするイラスト表示物品。
【請求項２】
請求項１に記載のイラスト表示物品において、
前記イラスト表示板は、写真デ−タ又はスキャナ−で読み込んだ画像デ−タを画像編集ソフトで、文字の編集、追加や必要な部だけを浮かび上がるように編集し、３Ｄ−ＣＡＤで画像デ−タを取り込み、ボ−ルエンドミルで色々な材料を削りだしていくデータ作りして段取りをし、前記プラスチックプレートにマシニングセンタあるいは３次元彫刻機の切削加工機械で彫刻することにより得られたものであることを特徴とするイラスト表示物品。
【請求項３】
請求項１又は２に記載のイラスト表示物品において、
前記提げ紐は、携帯機器用ストラップであり、前記イラスト表示板と前記カラー板とに連設された透孔に通して取り付けられるものであることを特徴とするイラスト表示物品。
【請求項４】
請求項１乃至３のいずれかに記載のイラスト表示物品において、
前記カラー板は、色彩がそれぞれ異なる複数枚が用意されていることを特徴とするイラスト表示物品。
【考案の詳細な説明】
【技術分野】
【０００１】
本考案は、実在する身近な人や愛玩動物のデジタル写真等に基づいて彫刻してなるイラスト表示板を装飾品として手軽に持ち運ぶことができるイラスト表示物品に関する。
【背景技術】
【０００２】
従来より、ガラス等の被加工材料の表面に模様、絵、文字等の図形を彫刻する方法が知られている。例えば、次のような画像刻印方法がある。すなわち、この画像刻印方法は、画像データに所定の編集処理を施した編集データに基づく一次画像を所定用紙に印刷する第１の行程と、 所定用紙に印刷された一次画像をプリントマスクに感光させて二次画像を形成する第２の工程と、刻印対象物にプリントマスクを貼り付ける第３の工程と、サンドブラスターを用い、刻印対象物に貼り付けたプリントマスクの二次画像に従って刻印対象物の表面を彫り込む第４の工程とを含んでいる。
【０００３】
なお、ここで「刻印」とは、サンドブラスター（研磨材吹付け機）等を用い、処理対象物（刻印対象物）に粒子状の研磨材を吹き付けて画像を彫り込むことを意味する。また、「画像データ」とは、写真や絵画等をスキャナーで読み込んだデータ、被写体像や絵画等をデジタルカメラで読み込んだデータ等を意味する。デジタルカメラとは、被写体像等を所定数の画素に分解、つまり、各画素の光強度（又は三原色それぞれの強度）を数字符号に変換する機能を備えたテレビジョンカメラ（電子カメラ）を意味する（特許文献１参照）。
【０００４】
また、同様に画像データに基づいて自動彫刻機を制御して被写体と同一形状の立体像を製作する方法も知られている（特許文献２参照）。
【先行技術文献】
【特許文献】
【０００５】
【特許文献１】特開２００１−１２５２８３号公報
【特許文献２】特開２００３−１９６４８６号公報
【考案の概要】
【考案が解決しようとする課題】
【０００６】
しかし、従来の画像刻印方法により製作された表示物体は、簡単に持ち運べる大きさのものではなかったり、長期間のうちには単調になって何か物足りなくなるという課題がある。
本考案は、上記の課題を解決するためになされたもので、簡単に持ち運べる大きさであり、しかも長期間に亘って持っていても単調になることがないイラスト表示物品を提供することを目的とする。
【課題を解決するための手段】
【０００７】
以下の構成はそれぞれ上記の課題を解決するための手段である。
〈構成１〉
透明あるいは半透明のプラスチックプレートに、人物、動物などの画像データを原図として切削加工機械を用いて彫刻することにより得られるイラストを表示してなるイラスト表示板と、前記イラスト表示板とほぼ同じ大きさで着色されたカラー板と、前記イラスト表示板と前記カラー板とを重ねた状態で吊るす提げ紐とを備えたことを特徴とするイラスト表示物品。
【０００８】
〈構成２〉
構成１に記載のイラスト表示物品において、前記イラスト表示板は、写真デ−タ又はスキャナ−で読み込んだ画像デ−タを画像編集ソフトで、文字の編集、追加や必要な部だけを浮かび上がるように編集し、３Ｄ−ＣＡＤで画像デ−タを取り込み、ボ−ルエンドミルで色々な材料を削りだしていくデータ作りして段取りをし、前記プラスチックプレートにマシニングセンタあるいは３次元彫刻機の切削加工機械で彫刻することにより得られたものであることを特徴とするイラスト表示物品。
【０００９】
〈構成３〉
構成１又は２に記載のイラスト表示物品において、前記提げ紐は、携帯機器用ストラップであり、前記イラスト表示板と前記カラー板とに連設された透孔に通して取り付けられるものであることを特徴とするイラスト表示物品。
【００１０】
〈構成４〉
構成１乃至３のいずれかに記載のイラスト表示物品において、複数の異なるイラストを表示した前記イラスト表示板と、複数の異なる色彩を施した前記カラー板とを用意してこれらを任意に組み合わせることを特徴とするイラスト表示物品。
【考案の効果】
【００１１】
〈構成１の効果〉
簡単かつ手軽に持ち運びができる。イラスト表示板とカラー板とを重ね合わせカラー板を下敷きとした状態でイラスト表示板を見ると、イラスト表示板に描かれた図柄がひときわ目立った状態に見え、しかもカラー板の色彩に応じて変化して見える。従って、長期間に亘って持っていても、色彩の異なるカラー板を適時取り替えれば単調になることはない。
【図面の簡単な説明】
【００１２】
【図１】実施例１のイラスト表示物品を示す図で、（ａ）は同イラスト表示物品を正面から見た説明図、（ｂ）はその斜視図である。平面図である。
【図２】同イラスト表示物品のイラスト表示板を示す縦断面図である。
【図３】本考案に係るイラスト表示物品の他のイラスト表示板を示す縦断面図である。
【図４】実施例２のイラスト表示物品を示す図で、（ａ）は同イラスト表示物品を正面から見た説明図、（ｂ）はその斜視図である。
【考案を実施するための形態】
【００１３】
以下、本考案の実施の形態を実施例毎に説明する。
【実施例１】
【００１４】
図１は実施例１のイラスト表示物品１０を示す図で、（ａ）は同イラスト表示物品を正面から見た説明図、（ｂ）はその斜視図である。図２は同イラスト表示物品を構成するイラスト表示板を示す縦断面図である。
【００１５】
イラスト表示物品１０は、四角形の板体からなるイラスト表示板１２及びカラー板１８と、これらを重ねた状態で吊るす提げ紐２０とを備えている。
【００１６】
イラスト表示板１２は、アクリル樹脂等の透明あるいは半透明のプラスチック材料により形成されたプラスチックプレート１４に、愛犬の写真やその愛称の文字等のイラスト１６を表示してなるものである。
【００１７】
イラスト１６は、写真や挿絵等の画像デ−タ又はスキャナ−で読み込んだ画像デ−タを画像編集ソフトで、文字の編集、追加や必要な部だけを浮かび上がるように編集し、３Ｄ−ＣＡＤで上記画像デ−タを取り込み、ボ−ルエンドミルで色々な材料を削りだしていくデータ作りして段取りをし、プラスチックプレート１４にマシニングセンタあるいは３次元彫刻機等の切削加工機械で彫刻することにより得られたものである。
【００１８】
マシニングセンタ（machining center、ＣＮＣ milling machine）は、自動工具交換機能をもち、目的に合わせてフライス加工・中ぐり加工・ねじ立てなどの異種の加工を１台で行うことができる工作機械である。主に切削加工を目的としている。ボールエンドミルとは、切削加工に使うエンドミルの一種である。先端が球状で、主に３次元加工やＲ加工など曲面を切削するために使う。
【００１９】
イラスト表示板１２のイラスト１６は、図２に示したように、イラスト表示板１２の表面より凹んだ状態に設けられてもよく、また、図３に示したように、イラスト表示板１２の表面より突出した状態に設けられてもよい。
【００２０】
カラー板１８は、イラスト表示板１２とほぼ同じ大きさのプラスチック製あるいは金属製の板体であって着色されたものである。提げ紐２０は、携帯機器用ストラップのように使用者の嗜好を満たすようにデザインされた紐状物が好ましい。
【００２１】
イラスト表示板１２とカラー板１８とは、両者に連設された透孔２２に提げ紐２０を通すことにより重ね合わせた状態で吊るされており、接着されずに互いに自由に動けるようにされている。従って複数の異なるイラストを表示したイラスト表示板１２と、複数の異なる色彩を施したカラー板１８とを用意しておくことにより、組み合わせを適宜変えることができる。
【実施例２】
【００２２】
図４は実施例２のイラスト表示物品２３を示す図で、（ａ）は同イラスト表示物品を正面から見た説明図、（ｂ）はその斜視図である。
【００２３】
この実施例のイラスト表示物品２３は、円形のイラスト表示板２４と、カラー板２６と、両者に連設された透孔２７に通された提げ紐２８とを備えている。イラスト表示板２４とカラー板２６とは、提げ紐２８により、重ね合わされかつ互いに自由に動ける状態で吊るされている。
【００２４】
イラスト表示板２４には、家族の顔写真の画像データから得られたイラスト３０が表示されている。このイラスト３０も上述の実施例１と同様に、画像データに基づいてプラスチックプレート２４にマシニングセンタあるいは３次元彫刻機等の切削加工機械で彫刻することにより得られたものである。
【符号の説明】
【００２５】
１０  実施例１のイラスト表示物品
１２  イラスト表示板
１４  プラスチックプレート
１６  イラスト
１８  カラー板
２０  提げ紐
２２  透孔
２３  実施例２のイラスト表示物品
２４  イラスト表示板
２６  カラー板
２７  透孔
２８  提げ紐
３０  イラスト
【図１】
0003151635.tif 000003
【図２】
0003151635.tif 000004
【図３】
0003151635.tif 000005
【図４】
0003151635.tif 000006
【手続補正書】
【提出日】平成21年4月23日(2009.4.23)
【手続補正１】
【補正対象書類名】実用新案登録請求の範囲
【補正対象項目名】全文
【補正方法】変更
【補正の内容】
【実用新案登録請求の範囲】
【請求項１】
透明あるいは半透明のプラスチックプレートに、人物、動物などの画像データを原図として切削加工機械を用いて彫刻してなるイラスト表示板と、
前記イラスト表示板とほぼ同じ大きさで着色されたカラー板と、
前記イラスト表示板と前記カラー板とを重ねた状態で吊るす提げ紐とを備えたことを特徴とするイラスト表示物品。
【請求項２】
請求項１に記載のイラスト表示物品において、
前記提げ紐は、携帯機器用ストラップであり、前記イラスト表示板と前記カラー板とに連設された透孔に通して取り付けられるものであることを特徴とするイラスト表示物品。
【請求項３】
請求項１又は２に記載のイラスト表示物品において、
前記カラー板は、色彩がそれぞれ異なる複数枚が用意されていることを特徴とするイラスト表示物品。